(57)【要約】【課題】、電子機器の充電を行うために電子機器に対し効率よく給電することができ、かつ天板の表裏をすっきりと見映えよくすることができる什器を提供する。【解決手段】什器１は、上下に貫通した開口窓３を備え、開口窓３を、すくなくとも一部に透光性を有した平面板１０で閉塞した天板２を有してなり、平面板１０の下方に、電子機器７に対し充電を行う無接点給電部２１および給電状態を報知する状態ランプ２２が配されている。平面板１０が開口窓３に嵌め入れられており、平面板１０の下方において、無接点給電部２１および状態ランプ２２が開口窓３の厚み方向の開口領域内に収容されている。【選択図】図１
2015066181.tif 000002
【特許請求の範囲】
【請求項１】
上下に貫通した開口窓を備え、該開口窓を、すくなくとも一部に透光性を有した平面板で閉塞した天板を有してなり、前記平面板の下方に、電子機器に対し給電を行う無接点給電部および給電状態を報知する状態ランプが配されている什器であって、
前記平面板が前記開口窓に嵌め入れられており、該平面板の下方において、前記無接点給電部および前記状態ランプが前記開口窓の厚み方向の開口領域内に収容されていることを特徴とする什器。
【請求項２】
請求項１において、
前記平面板は、インクを付着してなる印刷部と、インク付着のない非印刷部とを透明板に施してなることを特徴とする什器。
【請求項３】
請求項１または２において、
前記平面板は、ガラス間に接着膜を挟んでなる合わせガラスよりなることを特徴とする什器。
【請求項４】
請求項１〜３のいずれか１項において、
前記開口窓の開口縁には、前記平面板を支持する段部が形成されていることを特徴とする什器。
【請求項５】
請求項４において、
前記平面板は、固定台座枠を介して、前記段部に設置、固定されていることを特徴とする什器。
【発明の詳細な説明】
【技術分野】
【０００１】
本発明は、電子機器に対し無接点給電を行う機能を有したテーブル等の什器に関する。
【背景技術】
【０００２】
近時、電子機器に対し無接点で給電して充電することができる什器が提案されている（たとえば、特許文献１参照）。
【０００３】
たとえば、飲食店のテーブルの天板の裏側に、携帯電話等の電子機器を充電するための無接点給電部を配設したものでは、利用者は電子機器を天板の所定の位置に置くだけで食事をしながら充電を済ませることができる。また、無接点給電部が使用可能な状態であることや、給電中であること、給電（充電）が完了したことなどの種々の給電状態を報知するための状態ランプを無接点給電部の近傍の視認可能な位置に設ければ、利便性をさらに高められる。
【０００４】
無接点給電部および状態ランプの設置位置に相当する天板における部位を開口し、その開口窓を透光性を有したアクリル樹脂等の平面板で塞げば、天板の他の面と識別することができ、電子機器の載置位置を容易に確認できる。さらに、開口窓が透けて見えるため、平面板を介して状態ランプの点灯状態を確認することもできる。
【先行技術文献】
【特許文献】
【０００５】
【特許文献１】特開２００１−３０９５７９号公報
【発明の概要】
【発明が解決しようとする課題】
【０００６】
しかしながら、特許文献１のものでは、無接点給電部が天板の裏側に突出して設けてあるため、什器を注意して取り扱わなければ無接点給電部が破損したり、外れたりするおそれがある。また、見映えもよくない。
【０００７】
さらに、天板の強度を確保するため厚みを厚くした場合、無接点給電部と給電を受ける電子機器との距離が長くなるため、充電に時間を要したり、給電ができない状態になったりするおそれがある。
【０００８】
本発明は、このような事情を考慮して提案されたもので、その目的は、電子機器の充電を行うために電子機器に対し効率よく給電することができ、かつ天板の表裏をすっきりと見映えよくすることができる什器を提供することにある。
【課題を解決するための手段】
【０００９】
上記目的を達成するために、本発明の什器は、上下に貫通した開口窓を備え、該開口窓を、すくなくとも一部に透光性を有した平面板で閉塞した天板を有してなり、平面板の下方に、電子機器に対し給電を行う無接点給電部および給電状態を報知する状態ランプが配されている什器であって、平面板が開口窓に嵌め入れられており、該平面板の下方において、無接点給電部および状態ランプが開口窓の厚み方向の開口領域内に収容されていることを特徴とする。
【００１０】
本発明においては、平面板が、インクを付着してなる印刷部と、インク付着のない非印刷部とを透明板に施して構成されたものとしてもよい。
【００１１】
本発明においては、平面板が、ガラス間に接着膜を挟んでなる合わせガラスより構成されたものとしてもよい。
【００１２】
本発明においては、開口窓の開口縁に平面板を支持する段部が形成されたものとしてもよい。
【００１３】
本発明においては、平面板が、固定台座枠を介して、段部に設置されたものとしてもよい。
【発明の効果】
【００１４】
本発明の什器によれば、上述の構成となっているため、電子機器に対し効率よく給電することができ、かつ天板の表裏をすっきりと見映えよくすることができる。
【図面の簡単な説明】
【００１５】
【図１】本発明の一実施形態に係る什器の要部を示す分解斜視図である。
【図２】図１におけるＸ−Ｘ線に対応した要部断面図である。
【図３】什器の全体斜視図である。
【図４】平面板として使用する合わせガラスの説明図であり、（ａ）は合わせガラスの概略分解斜視図、（ｂ）は合わせガラスの拡大部分縦断面図である。
【図５】（ａ）は図４（ａ）のＸ部の接着面側の拡大部分平面図、（ｂ）はガラス間の接着面側をさらに拡大した部分平面図である。
【図６】本発明の他の実施形態に係る什器の他例を示す斜視図である。
【発明を実施するための形態】
【００１６】
以下に、本発明の実施の形態について、添付図面にもとづいて説明する。
図１〜図３は、本発明の一実施形態に係る什器の説明図である。本実施形態に係る什器の例として、飲食店に設置されるテーブルを例示した（図３参照）。図４および図５は、本実施形態で用いられる合わせガラスの説明図である。
【００１７】
図３に示したテーブル１は、ファーストフードなどの飲食店で食事をするための一人用の４本脚テーブルである。テーブル１は、木質材料または樹脂材料よりなる天板２と、その天板２を支持するために天板の４隅に固定された脚部４、４、・・・とを含んで構成されている。
【００１８】
什器として例示したテーブル１は、上下に貫通した開口窓３を備え、該開口窓３を、すくなくとも一部に透光性を有した平面板１０で閉塞した天板２を有してなる。平面板１０の下方に、電子機器７に対し給電を行う無接点給電部２１および給電状態を報知する状態ランプ２２が配されている。ここで、状態ランプ２２としては、使用可能な状態（無接点給電部２１の電源オン状態）であることや、電子機器７への給電が実行中であること、電子機器７の充電が完了したことなどの種々の給電状態を報知するものが想定される。
【００１９】
ここで、電子機器７としては、充電電源部（不図示）を有した携帯電話やスマートフォン、ノートパソコン、デジタルカメラ携帯ゲーム機などのコードレスの電子機器が挙げられる。
【００２０】
平面板１０は開口窓３に嵌め入れられており、平面板１０の下方において、固定台座枠２０、無接点給電部２１および状態ランプ２２が開口窓３の厚み方向の開口領域内に収容されている。
【００２１】
平面板１０には、上方から視認できるように飲食店のロゴや商標、模様などが印刷されている。平面板１０は、携帯電話等の電子機器７を載せ置いて給電できる給電部５の載置面５ａとして外観露出している。この給電部５は、接点同士を接続させて給電するタイプのものではなく、載置面５ａを形成した平面板１０を介して、電磁誘導による非接触給電を行うものである。
【００２２】
給電部５は、天板２の一部を矩形状に開口した部位に設けられている。その開口窓３の上面側には、合わせガラス１０Ａよりなる平面板１０が嵌合されて載置面５ａを構成している。以下に、この給電部５について詳説する。
【００２３】
給電部５を収めた開口窓３は、図１に示すように上下に貫通している。そして、その開口の厚み方向の領域内に、上面側より、平面板１０（合わせガラス１０Ａ）、固定台座枠２０、無接点給電部２１が収容されている（図２参照）。
【００２４】
図１に示すように、開口窓３の開口の内周面の大部分には段部３ａが突出形成されている。この段部３ａは、平面板１０を開口窓３の厚み領域内に収容し、下方より支持する設置部である。
【００２５】
平面板１０は、矩形状の薄板ガラス材よりなる透明板であり、上述したように合わせガラス１０Ａよりなる。合わせガラス１０Ａは、ガラス１１、１１間に接着膜１３を挟んでなる二重ガラスである（図４参照）。合わせガラス１０Ａの厚みは特に限定されないが、数ｃｍ程度の厚みの天板２に対して十分に薄いもの（たとえば数ｍｍ程度）が好適に使用される。合わせガラス１０Ａの詳細構成については別途後述する。
【００２６】
また、電子機器７の載置面５ａである合わせガラス１０Ａの上面には、天板２の他の部位と容易に識別できるように、飲食店のロゴや商標、模様などが施されている（図３参照）。たとえば、載置面５ａ（平面板１０）の大部分に、天板２の化粧面とは異なる色を印刷したものでもよい。また、後述する状態ランプ２２の点灯や点滅を確実に視認できるように、状態ランプ２２に相当する部位は透明度の高い状態とした平面板１０を形成することが望ましい。たとえば、その部位のみを印刷がされていない非印刷部１５（図４、図５参照）とすればよい。もちろん、平面板１０の全体面に模様等の印刷を施してもよく、すくなくとも状態ランプ２２の光が透けて見える程度の透光性があればよい。
【００２７】
また、平面板１０としては、合わせガラス１０Ａに代えて、透明または半透明なアクリル樹脂板を用いてもよい。もちろん、平面板１０として透明ではない木質板または樹脂板を用いてもよく、状態ランプ２２の点灯状態の確認用として、たとえば小孔に透明板を嵌め入れた構成としてもよい。
【００２８】
この平面板１０の下面には、中央部に開口２０ｂを有した木質繊維板などの木質材料よりなる固定台座枠２０が配されている（図１、図２参照）。この固定台座枠２０は平面板１０の下面に接着されており、段部３ａに載せ置くように設置されている（図２参照）。また、固定台座枠２０には、後述する状態ランプ２２の点灯状態を視認できるランプ収容孔２０ａが形成されている。
【００２９】
無接点給電部２１は、開口窓３内の特に固定台座枠２０の開口２０ｂ内において、天板２の厚み内に収まる直方体形状であり、上面側にはガラス板が配され、給電用の電源ユニット２１ａが内装されている。この無接点給電部２１には、電子機器７への給電状態を点灯で報知する状態ランプ２２が接続されている。状態ランプ２２は基板２３上に実装されており、無接点給電部２１には、この基板２３を介して、電源供給用の配線が接続されている。図１中の２４は電源プラグである。
【００３０】
状態ランプ２２は、たとえばＬＥＤランプで構成すればよい。この状態ランプ２２は、基板１２が固定台座枠２０の下面にねじ止めされて、固定台座枠２０のランプ収容孔２０ａに収容、配置されている。
【００３１】
また、無接点給電部２１は、下方よりスポンジ材２６を介して、ねじ止めされた裏板２７より押圧されて、無接点給電部２１の上面が合わせガラス１０Ａの下面に接触あるいは近接するような位置に配設されている。
【００３２】
スポンジ材２７は、無接点給電部２１を合わせガラス１０Ａの下面に接触あるいは近接させるように配設するために、無接点給電部２１と裏板２７との間に配されたスペーサ部材である。このスポンジ材２６は緩衝材としても作用し、圧縮することで裏板２７が所定の位置に取り付けられるようになっており、無接点給電部２１をずれ動かないように下方より押圧、保持している。
【００３３】
裏板２７は、天板２の裏側の開口窓３の周縁部に設けられた設置凹部３ｂに嵌め入れられており、段部３ａを介して固定台座枠２０に対してねじ止めされている。なお、組立て効率を考慮して、裏板２７を取り付ける前に、段部３ａの下面より固定台座枠２０にねじ止めしておくことが望ましい。
【００３４】
また、裏板２７は開口窓３の平面寸法よりも大きく形成されており、天板２の裏面に形成された、開口窓３に連通する配線用の凹所３ｃおよび凹所３ｃ内の配線を隠す構成となっている。また、裏板２７には開口２７ａが設けられており、その開口２７ａより電源プラグ２４を外部に出して商用電源に接続できるようになっている。裏板２７がねじ止めされた状態では、天板２の裏面と裏板２７表面がほぼ面一となっている。
【００３５】
以上のように、平面板１０、固定台座枠２０、無接点給電部２１、状態ランプ２２、基板２３、スポンジ材２６、配線および裏板２７は、開口窓３における天板２の厚み内に収容されている。
【００３６】
このように、給電部５を構成する部材が開口窓３の厚み方向の開口領域内に収められているので、テーブル１の天板２の上面および下面は給電部５による突出部はなく、すっきりとし、見映えがよい。また、天板２の上面および下面に突出部がないため、取り扱いがしやすく、給電部５が外れたり、破損したりするおそれもない。
【００３７】
なお、天板２の上面側では合わせガラス１０Ａが天板２よりもわずかに突出してもよく、また下面側では裏板２７が天板２よりも突出してもよい。ただし、すくなくとも固定台座枠２０、無接点給電部２１および状態ランプ２２は、それぞれの全体が開口窓３の上面側にも下面側にも突出することなく収容されるようにすることが望ましい。また、上面側、下面側において、給電部５が天板２よりも凹んだ状態であってもよい。
【００３８】
また、給電部５の載置面５ａに載置する電子機器７は、無接点給電部２１から平面板１０の厚み分だけ離間して載置されるため、給電効率はきわめてよく、省電力化を図ることができる。
【００３９】
さらに、状態ランプ２２も、上方から見て、平面板１０の厚み分だけを介して隔てた位置に配されているため、わずかな光度の光でもほぼ確実に視認することができる。特に、平面板１０の状態ランプ２２の相当部位を非印刷部１５としたことにより透明度が高くなっているため、点灯状態はより視認しやすい。
【００４０】
また、平面板１０は固定台座枠２０を通じて、下方の裏板２７からのねじ止めにより固定されているため、ずれたり外れたりするおそれはない。最上部の平面板１０（に接着された固定台座枠２０）と、最下部の裏板２７とがねじにより固定されているから、それらの間に収容された無接点給電部２１や状態ランプ２２が外れたり、落下したりするおそれは、もちろんない。
【００４１】
さらに、開口窓３に段部３ａが形成されているため、平面板１０を開口窓３内に嵌め入れた状態でねじ止めすることができる。これにより、平面板１０を固定した固定台座枠２０と、裏板２７とが段部３ａを挟んだ状態で開口窓３に固定される。また、平面板１０を段部３ａで支持する構成であるため、平面板１０の上面を天板２の上面に面一または平行にすることも容易にできる。
【００４２】
また、平面板１０として用いる合わせガラス１０Ａを、テーブル１の組立て前において、あらかじめ固定台座枠２０に接着しておくことが望ましい。そうすることで、固定台座枠２０が合わせガラス１０Ａを保護することができ、テーブル１の組立ての際の合わせガラス１０Ａの破損を防止することができる。
【００４３】
また、本実施形態では、平面板１０として合わせガラス１０Ａを用いているため、給電部５の載置面５ａの美観をよくすることができ、飲食店における清涼感を表現することができる。さらに、合わせガラス１０Ａを用いることで、強度を確保することもできる。また、合わせガラス１０Ａを図４、図５で後述する構成とすることで、より薄く形成することができ、無接点給電部２１などの天板２の厚み内への収容を容易にすることができる。すなわち、合わせガラス１０Ａを用いることで、天板２の厚みをより薄くすることもできる。
【００４４】
つぎに、平面板１０を構成する合わせガラス１０Ａについて、図４および図５を参照しながら説明する。
【００４５】
合わせガラス１０Ａは、ガラス１１、１１間に接着膜（図例では接着フィルム１３）を挟んでなる二重ガラスである。この合わせガラス１０Ａは、ガラス１１の接着膜との接着面１１ａに、インクを付着してなる印刷部１４が形成されており、接着面１１ａの少なくとも外周部に非印刷部１５が形成されている。
【００４６】
この合わせガラス１０Ａの構成部材である両ガラス１１、１１としては、厚み１．０ｍｍ程度の矩形のフロートガラスまたは強化ガラスが用いられる。ガラス１１の厚みは特に限定されないが、給電効率の高い給電部５の平面板１０（図１参照）として使用することや、印刷部１４を鮮明に表出できる合わせ加飾ガラスを形成することを考慮すれば、薄めのガラス１１を用いることが望ましい。
【００４７】
２枚のガラス１１、１１のうちの一方のガラス１１の接着面１１ａ（内側の面）には、インクジェット方式により印刷された印刷部１４が形成されている。以下では、このガラス１１を印刷ガラス１２という。なお、ガラス１１に対する印刷の印刷方式は限定されない。たとえば、スクリーン方式などによって印刷部１４を形成してもよい。
【００４８】
図４（ａ）の合わせガラス１０Ａの例では、印刷ガラス１２の接着面１１ａのほぼ全面に印刷部１４（図中、クロスハッチングを付した部位）が形成してある。なお、印刷部１４は、図４（ａ）の分解斜視図で示したガラス１１、１１のうち上側に図示した印刷ガラス１２の裏面側に形成されている。
【００４９】
印刷部１４を有した印刷ガラス１２の接着面１１ａの外周部には、インクが付着していない非印刷部１５が設けらえている。この非印刷部１５は、微小な非印刷ピンホール部１５ａ、１５ａ、・・・（以下、ピンホール部１５ａという）であり、多数のものが外周部の全周にわたって点在している（図４（ａ）および図５（ａ）参照）。
【００５０】
図４（ａ）の分解斜視図および図５（ａ）の印刷ガラス１２の接着面１１ａ側の部分拡大平面図に示すように、ピンホール部１５ａは、コーナー部を含む外周部においてほぼ全周に、ほぼ等間隔に整列された状態に点在している。
【００５１】
多数のピンホール部１５ａ、１５ａ、・・・は、インクジェット方式の印刷制御によって非印刷部１５として形成されたものである。ピンホール部１５ａは、周囲をインク付着部で囲まれて円形状に形成されており、図４（ｂ）の部分縦断面図に示すように、インク滴が接着面１１ａ上に連なってできたインク付着部１４ａ、１４ａ間に形成されている。このような非印刷部１５を形成した部位の下方に、状態ランプ２２（図１、図２参照）を配するようにすればよい。
【００５２】
このピンホール部１５ａは、印刷部１４の模様やデザインの中に、ピンホール部１５ａが目立つことのないように、あるいは周囲の印刷部１４の外観が大きく変化しないように点在している。つまり、ピンホール部１５ａは見た目上、模様やデザインの中に溶け込んで渾然一体化した状態にある。本図例のように外周部にも模様やデザインを施すものに対しては、ピンホール部１５ａは、そのように印刷された模様やデザインの外観にほとんど影響がないように、形成数や形成比率を設定して形成されるようにすることが望ましい。
【００５３】
ピンホール部１５ａの寸法ｔ（インク付着部１４ａ、１４ａ間寸法。図４（ｂ）参照。本例においてはピンホール部１５ａの直径）は、０．１〜０．５ｍｍ程度とすることが望ましい。また、ピンホール部１５ａは、その面積の総合計（総面積）が、それらを含んでいる外周部の面積に対して１％〜１０％程度となるように点在させることが望ましい。
【００５４】
また、本実施形態の図例に示すように、ピンホール部１５ａの総面積が外周部の面積に対して５％以下とすることがさらに好適とされる。本実施形態のものでは、寸法ｔ（ピンホール部１５ａの直径）が０．２ｍｍであり、水玉模様状に整列されたピンホール部１５ａの列間寸法Ｓ１（図５（ｂ）参照）が０．６ｍｍであり、列間寸法Ｓ２（図５（ｂ）参照）が１．２ｍｍである。
【００５５】
すなわち、図５（ｂ）のものでは、ピンホール部１５ａの総面積の外周部の面積に対する割合は、具体的にはつぎのようになる。
図５（ｂ）における領域Ｙの面積は、
２．４×２．４＝５．７６ｍｍ２
である。
領域Ｙの中には８個分のピンホール部１５ａが存在するから、その総面積は、
０．１×０．１×３．１４×８＝０．２５１２ｍｍ２
である。
よって、ピンホール部１５ａの総面積の割合は、
０．２５１２／５．７６＝約４．７６％
となる。
【００５６】
また、ピンホール部１５ａの総面積は、上記の面積割合よりも大きくてもよく（１０％超となってもよく）、その結果、模様やデザインの外観に変化をきたすものとなってもよい。たとえば、ピンホール部１５ａの寸法ｔを０．２ｍｍとし、その密度を図５（ｂ）に示したものより大きくして総面積を１０％超として、合わせガラス１０Ａの外周部における色調（濃淡や明暗）を、中央部とは、外観上大きく異ならせるようにしてもよい。また、複数点在させたピンホール部１５ａによって、外周部でグラデーションを表現できるようにしてもよい。
【００５７】
特に、本実施形態では、合わせガラス１０Ａを通して給電状態を報知する状態ランプ２２の点灯の視認をしやすくするために、ピンホール部１５ａの総面積は大きくすることが望ましい。
【００５８】
一方、両ガラス１１、１１間に挟む中間膜として設けた接着フィルム１３は、透明な樹脂材であり、その両面は接着性を有している。樹脂材としては、ガラス１１と強力な接着関係を形成する高分子樹脂製のものが用いられる。たとえば、ポリビニルブチラール（ＰＶＢ）、エチレン−酢酸ビニル共重合体（ＥＶＡ）などの軟化点が７０℃〜１５０℃のものを好適に使用できる。もちろん、接着膜は他の樹脂材、他の素材で形成したものでもよい。
【００５９】
また、合わせガラス１０Ａの下方に配した無接点給電部２１が上方から見えないようにするために、透明な接着フィルム１３に代えて、たとえば乳白色の接着フィルム１３を用いてもよい。ただし、状態ランプ２２の点灯を視認できるように、その部位を切り取って透明性を高めるようにすることが望ましい。
【００６０】
また、接着膜として種々の厚みの接着フィルム１３が使用できるが、薄めの合わせガラス１０を形成する場合には、０．２ｍｍ〜０．８ｍｍ程度の厚みの接着フィルム１３を用いることが望ましい。
【００６１】
合わせガラス１０Ａは、両ガラス１１、１１をそれらの間に設けた接着フィルム１３で接合して構成されている。製造過程において、ガラス１１、１１の外周の端面からはみ出るような大きめの接着フィルム１３が用いられ、両ガラス１１、１１を接合した後に、はみ出たフィルムを切断することが望ましい（図４（ｂ）参照）。
【００６２】
図４（ｂ）に示したように、印刷ガラス１２の印刷部１４のインク付着部１４ａは相手側のガラス１１の接着面１１ａに向けて突出している。そのインク付着部１４ａは、接着フィルム１３の厚みに吸収されているため、両ガラス１１、１１は接着フィルム１３の厚み分の寸法を介して平行に保持されている。このように、接着フィルム１３は、印刷ガラス１２の接着面１１ａとの関係においては、インク付着部１４ａだけではなくピンホール部１５ａにも密着して接着した状態にある。
【００６３】
このように、印刷ガラス１２の接着面１１ａの外周部には、接着フィルム１３が直接接着するピンホール部１５ａを多数設けてあるので、たとえばウレタン系インクのように、接着フィルム１３との接着力が弱い場合でも、接着力を補完することができる。その結果、両ガラス１１、１１間の接合強度が低下することを防止できる。特に、非印刷部１５が外周部に設けてあるので、両ガラス１１、１１の面全体がしっかりと接合される。また、非印刷部１５はコーナー部にも設けてあるので、接合強度不足になりやすいコーナー部の接合強度も保持できる。
【００６４】
また、このような構成であるため、接着フィルム１３の切断工程の前において接着フィルム１３を両ガラス１１、１１間にしっかりと接着させておくことができる。そのため、接着フィルム１３を切断する際に、ガラス１１、１１間の接着フィルム１３が接着力不足により引っ張り出されることを防止できる。すなわち、外周部において接着フィルム１３が部分的に欠損することを防止することもできる。
【００６５】
ついで、本発明の他の実施形態に係る什器ついて、図６を参照して説明する。なお、この実施形態においても什器には給電部５が形成されているが、その内部構造は図１、図２と同様であるため、分解斜視図および縦断面図の図示は省略する。
【００６６】
この什器は、長いす１Ａである。この長いす１Ａは、たとえば病院や役所、複数のスクリーンがある複合映画館などの待合室などに設置されて使用される。長いす１Ａの座部８の中央には、天板２よりなる中間卓が設けてある。
【００６７】
この中間卓は荷物置き台としても利用できるが、本実施形態では電子機器７（図２参照）の無接点給電用の載置用の天板２として使用される。すなわち、給電部５が天板２の中央に形成され、その載置面５ａが外観露出している。
【００６８】
給電部５は、図１の例と同様に、天板２に開設された開口窓３に、合わせガラス１０Ａなどの透光性のある平面板１０と、無接点給電部２１と、状態ランプ２２と、スペーサとしてのスポンジ材２６とが収容されている（図２も合わせて参照）。なお、開口窓３の開口の内周面には、図１に示したものと同様の段部３ａが形成されている。
【００６９】
また、裏板２７（図２参照）は開口窓３に対応したものでなくてもよく、長いす１Ａの座部８で代用してもよい。つまり、裏板２７は、無接点給電部２１を平面板１０の下面に接触または近接するように、スポンジ材２６を介して押圧、支持できるものであればよい。
【００７０】
このように、無接点給電用の給電部５が長いす１Ａに形成されているので、長いす１Ａに座っている人が、順番待ちなどをしている間に、簡易に、電子機器７の充電をすることができる。
【符号の説明】
【００７１】
１            テーブル（什器）
１Ａ          長いす（什器）
２            天板
３            開口窓
３ａ          段部
５            給電部
５ａ          載置面
７            携帯電話（電子機器）
１０          平面板
１０Ａ        合わせガラス
１１          ガラス
１２          印刷ガラス
１３          接着フィルム（接着膜）
１４          印刷部
１５          非印刷部
１５ａ        非印刷ピンホール部（ピンホール部）
２０          固定台座枠
２１          無接点給電部
２２          状態ランプ
２６          スポンジ材
２７          裏板
【図１】
2015066181.tif 000003
【図２】
2015066181.tif 000004
【図３】
2015066181.tif 000005
【図４】
2015066181.tif 000006
【図５】
2015066181.tif 000007
【図６】
2015066181.tif 000008